(57)【特許請求の範囲】
【請求項１】
第１赤色サブ画素の画像データ、第１緑色サブ画素の画像データ及び第１青色サブ画素の画像データを受信するステップＡと、
前記第１赤色サブ画素の画像データ、前記第１緑色サブ画素の画像データ及び前記第１青色サブ画素の画像データにガンマ補正処理を行うことにより、第２赤色サブ画素の画像データ、第２緑色サブ画素の画像データ及び第２青色サブ画素の画像データを取得するステップＢと、
前記第２赤色サブ画素の画像データ、前記第２緑色サブ画素の画像データ及び前記第２青色サブ画素の画像データに基づいて、第１白色サブ画素の画像データを生成するステップＣと、
前記第２赤色サブ画素の画像データ、前記第２緑色サブ画素の画像データ、前記第２青色サブ画素の画像データ、及び前記第１白色サブ画素の画像データに基づいて、第３赤色サブ画素の画像データ、第３緑色サブ画素の画像データ及び第３青色サブ画素の画像データを生成するステップＤと、
前記第３赤色サブ画素の画像データ、前記第３緑色サブ画素の画像データ、前記第３青色サブ画素の画像データ及び前記第１白色サブ画素の画像データに逆ガンマ変換処理を行うことにより、第４赤色サブ画素の画像データ、第４緑色サブ画素の画像データ、第４青色サブ画素の画像データ及び第２白色サブ画素の画像データを取得するステップＥと、
を含み、
前記ステップＣは、
前記第２赤色サブ画素の画像データ、前記第２緑色サブ画素の画像データ及び前記第２青色サブ画素の画像データに色空間変換を行うことにより、前記色空間に関連する角度データ、彩度データ及び明度データを取得し、前記色空間に対応する色空間モデルがマンセル色相彩度明度モデルであるステップｃ１と、
前記彩度データ及び前記明度データに基づいて、前記第１白色サブ画素の画像データを計算するステップｃ２と、
を含み、
前記ステップｃ２は、
前記明度データ及び前記彩度データを分析して分析結果を取得し、当該分析結果に基づいて、前記第１白色サブ画素の画像データを計算するステップｃ２１を含み、
前記彩度データに対応する値＝１−３／［（Ｒｉ＋Ｇｉ＋Ｂｉ）＊ｍｉｎ（Ｒｉ，Ｇｉ，Ｂｉ）］であり、前記ｍｉｎ（Ｒｉ，Ｇｉ，Ｂｉ）は、前記Ｒｉ、前記Ｇｉ、前記Ｂｉのうちの最小値であり、
前記第１白色サブ画素の画像データに対応する値＝前記明度データに対応する値＊（１−前記彩度データに対応する値）であり、
前記第２赤色サブ画素の画像データ、前記第２緑色サブ画素の画像データ、前記第２青色サブ画素の画像データに対応する値は、それぞれ前記Ｒｉ、前記Ｇｉ、前記Ｂｉである画像データ処理方法。
【請求項２】
前記ステップＤは、
前記彩度データに基づいて、ゲイン値を計算するステップｄ１と、
前記第２赤色サブ画素の画像データ、前記第２緑色サブ画素の画像データ、前記第２青色サブ画素の画像データ、前記第１白色サブ画素の画像データ及び前記ゲイン値に基づいて、第３赤色サブ画素の画像データ、第３緑色サブ画素の画像データ及び第３青色サブ画素の画像データを計算するステップｄ２と、
を含む請求項１に記載の画像データ処理方法。
【請求項３】
前記ステップｄ１は、下記の数式により前記ゲイン値を計算するステップｄ１１を含み、
前記ゲイン値＝２−前記彩度データに対応する値となり、
前記明度データに対応する値の最大値が所定明度閾値以下であり、
（前記第３赤色サブ画素の画像データに対応する値＋前記第１白色サブ画素の画像データに対応する値）：（前記第３緑色サブ画素の画像データに対応する値＋前記第１白色サブ画素の画像データに対応する値）：（前記第３青色サブ画素の画像データに対応する値＋前記第１白色サブ画素の画像データに対応する値）＝前記第２赤色サブ画素の画像データに対応する値：前記第２緑色サブ画素の画像データに対応する値：前記第２青色サブ画素の画像データに対応する値である請求項２に記載の画像データ処理方法。
【請求項４】
前記ステップｄ２は、
下記の数式により前記第３赤色サブ画素の画像データ、前記第３緑色サブ画素の画像データ及び前記第３青色サブ画素の画像データを計算するステップｄ２１を含み、
前記第３赤色サブ画素の画像データに対応する値＝前記第２赤色サブ画素の画像データに対応する値＊前記ゲイン値−前記第１白色サブ画素の画像データに対応する値となり、
前記第３緑色サブ画素の画像データに対応する値＝前記第２緑色サブ画素の画像データに対応する値＊前記ゲイン値−前記第１白色サブ画素の画像データに対応する値となり、及び
前記第３青色サブ画素の画像データに対応する値＝前記第２青色サブ画素の画像データに対応する値＊前記ゲイン値−前記第１白色サブ画素の画像データに対応する値となる請求項２に記載の画像データ処理方法。
【請求項５】
第１赤色サブ画素の画像データ、第１緑色サブ画素の画像データ及び第１青色サブ画素の画像データを受信するステップＡと、
前記第１赤色サブ画素の画像データ、前記第１緑色サブ画素の画像データ及び前記第１青色サブ画素の画像データにガンマ補正処理を行うことにより、第２赤色サブ画素の画像データ、第２緑色サブ画素の画像データ及び第２青色サブ画素の画像データを取得するステップＢと、
前記第２赤色サブ画素の画像データ、前記第２緑色サブ画素の画像データ及び前記第２青色サブ画素の画像データに基づいて、第１白色サブ画素の画像データを生成するステップＣと、
前記第２赤色サブ画素の画像データ、前記第２緑色サブ画素の画像データ、前記第２青色サブ画素の画像データ及び前記第１白色サブ画素の画像データに基づいて、第３赤色サブ画素の画像データ、第３緑色サブ画素の画像データ及び第３青色サブ画素の画像データを生成するステップＤと、
前記第３赤色サブ画素の画像データ、前記第３緑色サブ画素の画像データ、前記第３青色サブ画素の画像データ及び前記第１白色サブ画素の画像データに逆ガンマ変換処理を行うことにより、第４赤色サブ画素の画像データ、第４緑色サブ画素の画像データ、第４青色サブ画素の画像データ及び第２白色サブ画素の画像データを取得するステップＥと、
を含み、
前記ステップＣは、
前記第２赤色サブ画素の画像データ、前記第２緑色サブ画素の画像データ及び前記第２青色サブ画素の画像データに色空間変換を行うことにより、前記色空間に関連する角度データ、彩度データ及び明度データを取得するステップｃ１と、
前記彩度データ、及び前記明度データに基づいて、前記第１白色サブ画素の画像データを計算するステップｃ２と、
を含み、
前記ステップｃ２は、
前記明度データ及び前記彩度データを分析して分析結果を取得し、当該分析結果に基づいて、前記第１白色サブ画素の画像データを計算するステップｃ２１を含み、
前記彩度データに対応する値＝１−３／［（Ｒｉ＋Ｇｉ＋Ｂｉ）＊ｍｉｎ（Ｒｉ，Ｇｉ，Ｂｉ）］であり、前記ｍｉｎ（Ｒｉ，Ｇｉ，Ｂｉ）は、前記Ｒｉ、前記Ｇｉ、前記Ｂｉのうちの最小値であり、
前記第１白色サブ画素の画像データに対応する値＝前記明度データに対応する値＊（１−前記彩度データに対応する値）であり、
前記第２赤色サブ画素の画像データ、前記第２緑色サブ画素の画像データ、前記第２青色サブ画素の画像データに対応する値は、それぞれ前記Ｒｉ、前記Ｇｉ、前記Ｂｉである画像データ処理方法。
【請求項６】
前記ステップＤは、
前記彩度データに基づいて、ゲイン値を計算するステップｄ１と、
前記第２赤色サブ画素の画像データ、前記第２緑色サブ画素の画像データ、前記第２青色サブ画素の画像データ、前記第１白色サブ画素の画像データ、及び前記ゲイン値に基づいて、第３赤色サブ画素の画像データ、第３緑色サブ画素の画像データ、第３青色サブ画素の画像データを計算するステップｄ２と、
を含む請求項５に記載の画像データ処理方法。
【請求項７】
第１赤色サブ画素の画像データ、第１緑色サブ画素の画像データ及び第１青色サブ画素の画像データを受信するステップＡと、
前記第１赤色サブ画素の画像データ、前記第１緑色サブ画素の画像データ及び前記第１青色サブ画素の画像データにガンマ補正処理を行うことにより、第２赤色サブ画素の画像データ、第２緑色サブ画素の画像データ及び第２青色サブ画素の画像データを取得するステップＢと、
前記第２赤色サブ画素の画像データ、前記第２緑色サブ画素の画像データ及び前記第２青色サブ画素の画像データに基づいて、第１白色サブ画素の画像データを生成するステップＣと、
前記第２赤色サブ画素の画像データ、前記第２緑色サブ画素の画像データ、前記第２青色サブ画素の画像データ及び前記第１白色サブ画素の画像データに基づいて、第３赤色サブ画素の画像データ、第３緑色サブ画素の画像データ及び第３青色サブ画素の画像データを生成するステップＤと、
前記第３赤色サブ画素の画像データ、前記第３緑色サブ画素の画像データ、前記第３青色サブ画素の画像データ及び前記第１白色サブ画素の画像データに逆ガンマ変換処理を行うことにより、第４赤色サブ画素の画像データ、第４緑色サブ画素の画像データ、第４青色サブ画素の画像データ及び第２白色サブ画素の画像データを取得するステップＥと、
を含み、
前記ステップＣは、
前記第２赤色サブ画素の画像データ、前記第２緑色サブ画素の画像データ及び前記第２青色サブ画素の画像データに色空間変換を行うことにより、前記色空間に関連する角度データ、彩度データ及び明度データを取得するステップｃ１と、
前記彩度データ、及び前記明度データに基づいて、前記第１白色サブ画素の画像データを計算するステップｃ２と、
を含み、
前記ステップＤは、
前記彩度データに基づいて、ゲイン値を計算するステップｄ１と、
前記第２赤色サブ画素の画像データ、前記第２緑色サブ画素の画像データ、前記第２青色サブ画素の画像データ、前記第１白色サブ画素の画像データ、及び前記ゲイン値に基づいて、第３赤色サブ画素の画像データ、第３緑色サブ画素の画像データ、第３青色サブ画素の画像データを計算するステップｄ２と、
を含み、
前記ステップｄ１は、
下記の数式により前記ゲイン値を計算するステップｄ１１を含み、
前記ゲイン値＝２−前記彩度データに対応する値となり、
前記明度データに対応する値の最大値が所定明度閾値以下であり、
（前記第３赤色サブ画素の画像データに対応する値＋前記第１白色サブ画素の画像データに対応する値）：（前記第３緑色サブ画素の画像データに対応する値＋前記第１白色サブ画素の画像データに対応する値）：（前記第３青色サブ画素の画像データに対応する値＋前記第１白色サブ画素の画像データに対応する値）＝前記第２赤色サブ画素の画像データに対応する値：前記第２緑色サブ画素の画像データに対応する値：前記第２青色サブ画素の画像データに対応する値である画像データ処理方法。
【請求項８】
第１赤色サブ画素の画像データ、第１緑色サブ画素の画像データ及び第１青色サブ画素の画像データを受信するステップＡと、
前記第１赤色サブ画素の画像データ、前記第１緑色サブ画素の画像データ及び前記第１青色サブ画素の画像データにガンマ補正処理を行うことにより、第２赤色サブ画素の画像データ、第２緑色サブ画素の画像データ及び第２青色サブ画素の画像データを取得するステップＢと、
前記第２赤色サブ画素の画像データ、前記第２緑色サブ画素の画像データ及び前記第２青色サブ画素の画像データに基づいて、第１白色サブ画素の画像データを生成するステップＣと、
前記第２赤色サブ画素の画像データ、前記第２緑色サブ画素の画像データ、前記第２青色サブ画素の画像データ及び前記第１白色サブ画素の画像データに基づいて、第３赤色サブ画素の画像データ、第３緑色サブ画素の画像データ及び第３青色サブ画素の画像データを生成するステップＤと、
前記第３赤色サブ画素の画像データ、前記第３緑色サブ画素の画像データ、前記第３青色サブ画素の画像データ及び前記第１白色サブ画素の画像データに逆ガンマ変換処理を行うことにより、第４赤色サブ画素の画像データ、第４緑色サブ画素の画像データ、第４青色サブ画素の画像データ及び第２白色サブ画素の画像データを取得するステップＥと、
を含み、
前記ステップＣは、
前記第２赤色サブ画素の画像データ、前記第２緑色サブ画素の画像データ及び前記第２青色サブ画素の画像データに色空間変換を行うことにより、前記色空間に関連する角度データ、彩度データ及び明度データを取得するステップｃ１と、
前記彩度データ、及び前記明度データに基づいて、前記第１白色サブ画素の画像データを計算するステップｃ２と、
を含み、
前記ステップＤは、
前記彩度データに基づいて、ゲイン値を計算するステップｄ１と、
前記第２赤色サブ画素の画像データ、前記第２緑色サブ画素の画像データ、前記第２青色サブ画素の画像データ、前記第１白色サブ画素の画像データ、及び前記ゲイン値に基づいて、第３赤色サブ画素の画像データ、第３緑色サブ画素の画像データ、第３青色サブ画素の画像データを計算するステップｄ２と、
を含み、
前記ステップｄ１は、
下記の数式により前記ゲイン値を計算するステップｄ１２を含み、
前記ゲイン値＝ｆ（１−Ｓ）となり、
前記明度データに対応する値の最大値が所定明度閾値より大きく、
前記ｆ（１−Ｓ）は、（１−Ｓ）を変数とする関数であり、前記ｆ（１−Ｓ）は、Ｒｏ、Ｇｏ、Ｂｏのオーバーフローを防止し、且つ滑らかに増加し、
前記第３赤色サブ画素の画像データ、前記第３緑色サブ画素の画像データ、前記第３青色サブ画素の画像データに対応する値は、それぞれ前記Ｒｏ、前記Ｇｏ、前記Ｂｏである画像データ処理方法。
【請求項９】
前記ステップｃ２は、
前記明度データ及び前記彩度データを分析して分析結果を取得し、当該分析結果に基づいて、前記第１白色サブ画素の画像データを計算するステップｃ２１を含み、
前記彩度データに対応する値＝１−３／［（Ｒｉ＋Ｇｉ＋Ｂｉ）＊ｍｉｎ（Ｒｉ，Ｇｉ，Ｂｉ）］であり、前記ｍｉｎ（Ｒｉ，Ｇｉ，Ｂｉ）は、前記Ｒｉ、前記Ｇｉ、前記Ｂｉのうちの最小値であり、
前記第１白色サブ画素の画像データに対応する値＝前記明度データに対応する値＊（１−前記彩度データに対応する値）であり、
前記第２赤色サブ画素の画像データ、前記第２緑色サブ画素の画像データ、前記第２青色サブ画素の画像データに対応する値は、それぞれ前記Ｒｉ、前記Ｇｉ、前記Ｂｉである請求項７又は８に記載の画像データ処理方法。
【請求項１０】
前記ステップｄ２は、
下記の数式により、前記第３赤色サブ画素の画像データ、前記第３緑色サブ画素の画像データ、及び前記第３青色サブ画素の画像データを計算するステップｄ２１を含み、
前記第３赤色サブ画素の画像データに対応する値＝前記第２赤色サブ画素の画像データに対応する値＊前記ゲイン値−前記第１白色サブ画素の画像データに対応する値となり、
前記第３緑色サブ画素の画像データに対応する値＝前記第２緑色サブ画素の画像データに対応する値＊前記ゲイン値−前記第１白色サブ画素の画像データに対応する値となり、及び
前記第３青色サブ画素の画像データに対応する値＝前記第２青色サブ画素の画像データに対応する値＊前記ゲイン値−前記第１白色サブ画素の画像データに対応する値となる請求項６−９のいずれか一項に記載の画像データ処理方法。
【請求項１１】
前記色空間に対応する色空間モデルは、マンセル色相彩度明度モデルである請求項７−９のいずれか一項に記載の画像データ処理方法。
【請求項１２】
第１赤色サブ画素の画像データ、第１緑色サブ画素の画像データ、第１青色サブ画素の画像データを受信する受信モジュールと、
前記第１赤色サブ画素の画像データ、前記第１緑色サブ画素の画像データ、前記第１青色サブ画素の画像データにガンマ補正処理を行うことにより、第２赤色サブ画素の画像データ、第２緑色サブ画素の画像データ、第２青色サブ画素の画像データを取得するガンマ補正処理モジュールと、
前記第２赤色サブ画素の画像データ、前記第２緑色サブ画素の画像データ、及び前記第２青色サブ画素の画像データに基づいて、第１白色サブ画素の画像データを生成する第１画像データ生成モジュールと、
前記第２赤色サブ画素の画像データ、前記第２緑色サブ画素の画像データ、前記第２青色サブ画素の画像データ、及び前記第１白色サブ画素の画像データに基づいて、第３赤色サブ画素の画像データ、第３緑色サブ画素の画像データ及び第３青色サブ画素の画像データを生成する第２画像データ生成モジュールと、
前記第３赤色サブ画素の画像データ、前記第３緑色サブ画素の画像データ、前記第３青色サブ画素の画像データ、前記第１白色サブ画素の画像データに逆ガンマ変換処理を行うことにより、第４赤色サブ画素の画像データ、第４緑色サブ画素の画像データ、第４青色サブ画素の画像データ及び第２白色サブ画素の画像データを取得する逆ガンマ変換処理モジュールと、
を含み、
前記第１画像データ生成モジュールは、
前記第２赤色サブ画素の画像データ、前記第２緑色サブ画素の画像データ、及び前記第２青色サブ画素の画像データに色空間変換を行うことにより、前記色空間に関連する角度データ、彩度データ及び明度データを取得する色空間変換モジュールと、
前記彩度データ及び前記明度データに基づいて、前記第１白色サブ画素の画像データを計算する第１計算モジュールと、
を含み、
前記第１計算モジュールは、前記明度データ及び前記彩度データを分析して分析結果を取得し、当該分析結果に基づいて、前記第１白色サブ画素の画像データを計算し、
前記彩度データに対応する値＝１−３／［（Ｒｉ＋Ｇｉ＋Ｂｉ）＊ｍｉｎ（Ｒｉ，Ｇｉ，Ｂｉ）］であり、前記ｍｉｎ（Ｒｉ，Ｇｉ，Ｂｉ）は、前記Ｒｉ、前記Ｇｉ、前記Ｂｉのうちの最小値であり、
前記第１白色サブ画素の画像データに対応する値＝前記明度データに対応する値＊（１−前記彩度データに対応する値）であり、
前記第２赤色サブ画素の画像データ、前記第２緑色サブ画素の画像データ、前記第２青色サブ画素の画像データに対応する値は、それぞれ前記Ｒｉ、前記Ｇｉ、前記Ｂｉである画像データ処理装置。
【請求項１３】
前記第２画像データ生成モジュールは、
前記彩度データに基づいて、ゲイン値を計算し、前記第２赤色サブ画素の画像データ、前記第２緑色サブ画素の画像データ、前記第２青色サブ画素の画像データ、前記第１白色サブ画素の画像データ及び前記ゲイン値に基づいて、第３赤色サブ画素の画像データ、第３緑色サブ画素の画像データ、第３青色サブ画素の画像データを計算する第２計算モジュールを含む請求項１２に記載の画像データ処理装置。
【請求項１４】
第１赤色サブ画素の画像データ、第１緑色サブ画素の画像データ、第１青色サブ画素の画像データを受信する受信モジュールと、
前記第１赤色サブ画素の画像データ、前記第１緑色サブ画素の画像データ、前記第１青色サブ画素の画像データにガンマ補正処理を行うことにより、第２赤色サブ画素の画像データ、第２緑色サブ画素の画像データ、第２青色サブ画素の画像データを取得するガンマ補正処理モジュールと、
前記第２赤色サブ画素の画像データ、前記第２緑色サブ画素の画像データ、及び前記第２青色サブ画素の画像データに基づいて、第１白色サブ画素の画像データを生成する第１画像データ生成モジュールと、
前記第２赤色サブ画素の画像データ、前記第２緑色サブ画素の画像データ、前記第２青色サブ画素の画像データ、及び前記第１白色サブ画素の画像データに基づいて、第３赤色サブ画素の画像データ、第３緑色サブ画素の画像データ及び第３青色サブ画素の画像データを生成する第２画像データ生成モジュールと、
前記第３赤色サブ画素の画像データ、前記第３緑色サブ画素の画像データ、前記第３青色サブ画素の画像データ、前記第１白色サブ画素の画像データに逆ガンマ変換処理を行うことにより、第４赤色サブ画素の画像データ、第４緑色サブ画素の画像データ、第４青色サブ画素の画像データ及び第２白色サブ画素の画像データを取得する逆ガンマ変換処理モジュールと、
を含み、
前記第１画像データ生成モジュールは、
前記第２赤色サブ画素の画像データ、前記第２緑色サブ画素の画像データ、及び前記第２青色サブ画素の画像データに色空間変換を行うことにより、前記色空間に関連する角度データ、彩度データ及び明度データを取得する色空間変換モジュールと、
前記彩度データ及び前記明度データに基づいて、前記第１白色サブ画素の画像データを計算する第１計算モジュールと、
を含み、
前記第２画像データ生成モジュールは、
前記彩度データに基づいて、ゲイン値を計算し、前記第２赤色サブ画素の画像データ、前記第２緑色サブ画素の画像データ、前記第２青色サブ画素の画像データ、前記第１白色サブ画素の画像データ及び前記ゲイン値に基づいて、第３赤色サブ画素の画像データ、第３緑色サブ画素の画像データ、第３青色サブ画素の画像データを計算する第２計算モジュールを含み、
前記第１計算モジュールは、下記の数式により前記ゲイン値を計算することにも用いられ、
前記ゲイン値＝２−前記彩度データに対応する値であり、
前記明度データに対応する値の最大値は、所定明度閾値以下であり、
（前記第３赤色サブ画素の画像データに対応する値＋前記第１白色サブ画素の画像データに対応する値）：（前記第３緑色サブ画素の画像データに対応する値＋前記第１白色サブ画素の画像データに対応する値）：（前記第３青色サブ画素の画像データに対応する値＋前記第１白色サブ画素の画像データに対応する値）＝前記第２赤色サブ画素の画像データに対応する値：前記第２緑色サブ画素の画像データに対応する値：前記第２青色サブ画素の画像データに対応する値である画像データ処理装置。
【請求項１５】
第１赤色サブ画素の画像データ、第１緑色サブ画素の画像データ、第１青色サブ画素の画像データを受信する受信モジュールと、
前記第１赤色サブ画素の画像データ、前記第１緑色サブ画素の画像データ、前記第１青色サブ画素の画像データにガンマ補正処理を行うことにより、第２赤色サブ画素の画像データ、第２緑色サブ画素の画像データ、第２青色サブ画素の画像データを取得するガンマ補正処理モジュールと、
前記第２赤色サブ画素の画像データ、前記第２緑色サブ画素の画像データ、及び前記第２青色サブ画素の画像データに基づいて、第１白色サブ画素の画像データを生成する第１画像データ生成モジュールと、
前記第２赤色サブ画素の画像データ、前記第２緑色サブ画素の画像データ、前記第２青色サブ画素の画像データ、及び前記第１白色サブ画素の画像データに基づいて、第３赤色サブ画素の画像データ、第３緑色サブ画素の画像データ及び第３青色サブ画素の画像データを生成する第２画像データ生成モジュールと、
前記第３赤色サブ画素の画像データ、前記第３緑色サブ画素の画像データ、前記第３青色サブ画素の画像データ、前記第１白色サブ画素の画像データに逆ガンマ変換処理を行うことにより、第４赤色サブ画素の画像データ、第４緑色サブ画素の画像データ、第４青色サブ画素の画像データ及び第２白色サブ画素の画像データを取得する逆ガンマ変換処理モジュールと、
を含み、
前記第１画像データ生成モジュールは、
前記第２赤色サブ画素の画像データ、前記第２緑色サブ画素の画像データ、及び前記第２青色サブ画素の画像データに色空間変換を行うことにより、前記色空間に関連する角度データ、彩度データ及び明度データを取得する色空間変換モジュールと、
前記彩度データ及び前記明度データに基づいて、前記第１白色サブ画素の画像データを計算する第１計算モジュールと、
を含み、
前記第２画像データ生成モジュールは、
前記彩度データに基づいて、ゲイン値を計算し、前記第２赤色サブ画素の画像データ、前記第２緑色サブ画素の画像データ、前記第２青色サブ画素の画像データ、前記第１白色サブ画素の画像データ及び前記ゲイン値に基づいて、第３赤色サブ画素の画像データ、第３緑色サブ画素の画像データ、第３青色サブ画素の画像データを計算する第２計算モジュールを含み、
前記第１計算モジュールは、下記の数式により前記ゲイン値を計算することにも用いられ、
前記ゲイン値＝ｆ（１−Ｓ）であり、前記明度データに対応する値の最大値が所定明度閾値より大きく、
前記ｆ（１−Ｓ）は、（１−Ｓ）を変数とする関数であり、前記ｆ（１−Ｓ）は、Ｒｏ、Ｇｏ、Ｂｏのオーバーフローを防止し、且つ滑らかに増加し、
前記第３赤色サブ画素の画像データ、前記第３緑色サブ画素の画像データ及び前記第３青色サブ画素の画像データに対応する値は、それぞれ前記Ｒｏ、前記Ｇｏ、前記Ｂｏである画像データ処理装置。
【請求項１６】
前記第１計算モジュールは、前記明度データ及び前記彩度データを分析して分析結果を取得し、当該分析結果に基づいて、前記第１白色サブ画素の画像データを計算し、
前記彩度データに対応する値＝１−３／［（Ｒｉ＋Ｇｉ＋Ｂｉ）＊ｍｉｎ（Ｒｉ，Ｇｉ，Ｂｉ）］であり、前記ｍｉｎ（Ｒｉ，Ｇｉ，Ｂｉ）は、前記Ｒｉ、前記Ｇｉ、前記Ｂｉのうちの最小値であり、
前記第１白色サブ画素の画像データに対応する値＝前記明度データに対応する値＊（１−前記彩度データに対応する値）であり、
前記第２赤色サブ画素の画像データ、前記第２緑色サブ画素の画像データ、前記第２青色サブ画素の画像データに対応する値は、それぞれ前記Ｒｉ、前記Ｇｉ、前記Ｂｉである請求項１４又は１５に記載の画像データ処理装置。
【請求項１７】
前記第２計算モジュールは、下記の数式により前記第３赤色サブ画素の画像データ、前記第３緑色サブ画素の画像データ及び前記第３青色サブ画素の画像データを計算することにも用いられ、
前記第３赤色サブ画素の画像データに対応する値＝前記第２赤色サブ画素の画像データに対応する値＊前記ゲイン値−前記第１白色サブ画素の画像データに対応する値となり、
前記第３緑色サブ画素の画像データに対応する値＝前記第２緑色サブ画素の画像データに対応する値＊前記ゲイン値−前記第１白色サブ画素の画像データに対応する値となり、及び
前記第３青色サブ画素の画像データに対応する値＝前記第２青色サブ画素の画像データに対応する値＊前記ゲイン値−前記第１白色サブ画素の画像データに対応する値となる請求項１３−１６のいずれか一項に記載の画像データ処理装置。
【請求項１８】
前記色空間に対応する色空間モデルは、マンセル色相彩度明度モデルである請求項１２−１７のいずれか一項に記載の画像データ処理装置。
【発明の詳細な説明】
【技術分野】
【０００１】
本発明は、画像データ処理の技術分野、特に、画像データ処理方法及び装置に関する。
【背景技術】
【０００２】
従来の表示装置は、画像を表示する前に、一般的に、対応する画像データを処理する必要があり、前記画像データは、一般的に、Ｒ（Ｒｅｄ、赤色）Ｇ（Ｇｒｅｅｎ、緑色）Ｂ（Ｂｌｕｅ、青色）データを含む。前記画像データを処理することは、前記表示装置に前記画像を表示させることができるようにするためである。
【０００３】
従来の前記画像データの処理技術には、一般的に、以下の２つの方法がある。即ち、
方法１、Ｒｉ（Ｒｅｄ  ｉｎｐｕｔ、赤色入力データ）、Ｇｉ（Ｇｒｅｅｎ  ｉｎｐｕｔ、緑色入力データ）、Ｂｉ（Ｂｌｕｅ  ｉｎｐｕｔ、青色入力データ）をいずれも原始データとし、Ｒｏ（Ｒｅｄ  ｏｕｔｐｕｔ、赤色出力データ）、Ｇｏ（Ｇｒｅｅｎ  ｏｕｔｐｕｔ、緑色出力データ）、Ｂｏ（Ｂｌｕｅ  ｏｕｔｐｕｔ、青色出力データ）をいずれも処理されたデータとすると、
Ｒｏ＝Ｒｉ−Ｗｏ；
Ｇｏ＝Ｇｉ−Ｗｏ；
Ｂｏ＝Ｂｉ−Ｗｏ；
Ｗｏ＝ｍｉｎ［Ｒｉ，Ｇｉ，Ｂｉ］であり、ただし、Ｗｏは白色出力データ（Ｗｈｉｔｅ  ｏｕｔｐｕｔ）を示し、ｍｉｎ［Ｒｉ，Ｇｉ，Ｂｉ］はＲｉ、Ｇｉ、Ｂｉのうちの最小値であり、以下に、「ｍｉｎ［Ｒｉ，Ｇｉ，Ｂｉ］」を「ｍｉｎ」と記す。
方法２、Ｒｉ、Ｇｉ、Ｂｉをいずれも原始データとし、Ｒｏ、Ｇｏ、Ｂｏをいずれも処理されたデータとすると、
Ｒｏ＝Ｒｉ＊Ｓ−Ｗｏ；
Ｇｏ＝Ｇｉ＊Ｓ−Ｗｏ；
Ｂｏ＝Ｂｉ＊Ｓ−Ｗｏであり、
Ｓ＝１＋ｍｉｎ／（ｍａｘ−ｍｉｎ）、ｍｉｎ／ｍａｘ＜１／２であり、又はＳ＝２、ｍｉｎ／ｍａｘ＞１／２であり、
Ｗｏ＝ｍｉｎ［Ｒｉ，Ｇｉ，Ｂｉ］であり、ｍａｘがｍａｘ［Ｒｉ，Ｇｉ，Ｂｉ］であり、ｍａｘ［Ｒｉ，Ｇｉ，Ｂｉ］は、Ｒｉ、Ｇｉ、Ｂｉのうちの最大値である。
【０００４】
前記方法１は、原始ＲＧＢ成分で合成されたＷ（Ｗｈｉｔｅ、白色）成分を分離するものであり、前記Ｗ成分を十分に利用することにより透過率を向上させることができない。
前記方法２は、原始ＲＧＢ成分を向上させ、さらにＷ成分を分離するものである。この方法は、表示パネルの明度を向上させることができるが、Ｗｏの値が明度の最大化の方式に制限されるため、Ｒｏ、Ｇｏ、Ｂｏの値は、グレースケールに伴い滑らかに変化することができない。
【０００５】
そのため、上記の技術問題を解決するために、新しい技術手段を提供する必要がある。
【発明の概要】
【発明が解決しようとする課題】
【０００６】
本発明は、ＲＧＢ画像データをＲＧＢＷ画像データに変換することができる画像データ処理方法及び装置を提供することを目的とする。
【０００７】
本発明の技術手段は、上記の問題を解決するために、以下の通りである。
第１赤色サブ画素の画像データ、第１緑色サブ画素の画像データ及び第１青色サブ画素の画像データを受信するステップＡと、前記第１赤色サブ画素の画像データ、前記第１緑色サブ画素の画像データ、前記第１青色サブ画素の画像データにガンマ補正処理を行うことにより、第２赤色サブ画素の画像データ、第２緑色サブ画素の画像データ、第２青色サブ画素の画像データを取得するステップＢと、前記第２赤色サブ画素の画像データ、前記第２緑色サブ画素の画像データ、及び前記第２青色サブ画素の画像データに基づいて、第１白色サブ画素の画像データを生成するステップＣと、前記第２赤色サブ画素の画像データ、前記第２緑色サブ画素の画像データ、前記第２青色サブ画素の画像データ、及び前記第１白色サブ画素の画像データに基づいて、第３赤色サブ画素の画像データ、第３緑色サブ画素の画像データ、第３青色サブ画素の画像データを生成するステップＤと、前記第３赤色サブ画素の画像データ、前記第３緑色サブ画素の画像データ、前記第３青色サブ画素の画像データ、前記第１白色サブ画素の画像データに逆ガンマ変換処理を行うことにより、第４赤色サブ画素の画像データ、第４緑色サブ画素の画像データ、第４青色サブ画素の画像データ、第２白色サブ画素の画像データを取得するステップＥと、を含み、前記ステップＣは、前記第２赤色サブ画素の画像データ、前記第２緑色サブ画素の画像データ、及び前記第２青色サブ画素の画像データに色空間変換を行うことにより、前記色空間に関連する角度データ、彩度データ、及び明度データを取得し、前記色空間に対応する色空間モデルがマンセル色相彩度明度モデルであるステップｃ１と、前記彩度データ、及び前記明度データに基づいて、前記第１白色サブ画素の画像データを計算するステップｃ２と、を含み、前記ステップｃ２は、前記明度、及び前記彩度を分析して分析結果を取得し、当該分析結果に基づいて、前記第１白色サブ画素の画像データを計算するステップｃ２１を含み、前記彩度に対応する値＝１−３／［（Ｒｉ＋Ｇｉ＋Ｂｉ）＊ｍｉｎ（Ｒｉ，Ｇｉ，Ｂｉ）］であり、前記ｍｉｎ（Ｒｉ，Ｇｉ，Ｂｉ）は、前記Ｒｉ、前記Ｇｉ、前記Ｂｉのうちの最小値であり、前記第１白色サブ画素の画像データに対応する値＝前記明度データに対応する値＊（１−前記彩度データに対応する値）であり、前記第２赤色サブ画素の画像データ、前記第２緑色サブ画素の画像データ、前記第２青色サブ画素の画像データに対応する値は、それぞれ前記Ｒｉ、前記Ｇｉ、前記Ｂｉである画像データ処理方法。
【０００８】
前記画像データ処理方法において、前記ステップＤは、前記彩度データに基づいてゲイン値を計算するステップｄ１と、前記第２赤色サブ画素の画像データ、前記第２緑色サブ画素の画像データ、前記第２青色サブ画素の画像データ、前記第１白色サブ画素の画像データ、及び前記ゲイン値に基づいて、第３赤色サブ画素の画像データ、第３緑色サブ画素の画像データ、第３青色サブ画素の画像データを計算するステップｄ２と、を含む。
【０００９】
前記画像データ処理方法において、前記ステップｄ１は、下記の数式により前記ゲイン値を計算するステップｄ１１を含み、即ち、前記ゲイン値＝２−前記彩度データに対応する値となり、前記明度データに対応する値の最大値は、所定明度閾値以下であり、（前記第３赤色サブ画素の画像データに対応する値＋前記第１白色サブ画素の画像データに対応する値）：（前記第３緑色サブ画素の画像データに対応する値＋前記第１白色サブ画素の画像データに対応する値）：（前記第３青色サブ画素の画像データに対応する値＋前記第１白色サブ画素の画像データに対応する値）＝前記第２赤色サブ画素の画像データに対応する値：前記第２緑色サブ画素の画像データに対応する値：前記第２青色サブ画素の画像データに対応する値である。
【００１０】
前記画像データ処理方法において、前記ステップｄ２は、下記の数式により前記第３赤色サブ画素の画像データ、前記第３緑色サブ画素の画像データ、及び前記第３青色サブ画素の画像データを計算するステップｄ２１を含み、前記第３赤色サブ画素の画像データに対応する値＝前記第２赤色サブ画素の画像データに対応する値＊前記ゲイン値−前記第１白色サブ画素の画像データに対応する値となり、前記第３緑色サブ画素の画像データに対応する値＝前記第２緑色サブ画素の画像データに対応する値＊前記ゲイン値−前記第１白色サブ画素の画像データに対応する値となり、及び、前記第３青色サブ画素の画像データに対応する値＝前記第２青色サブ画素の画像データに対応する値＊前記ゲイン値−前記第１白色サブ画素の画像データに対応する値となる。
【００１１】
第１赤色サブ画素の画像データ、第１緑色サブ画素の画像データ及び第１青色サブ画素の画像データを受信するステップＡと、前記第１赤色サブ画素の画像データ、前記第１緑色サブ画素の画像データ、前記第１青色サブ画素の画像データにガンマ補正処理を行うことにより、第２赤色サブ画素の画像データ、第２緑色サブ画素の画像データ、第２青色サブ画素の画像データを取得するステップＢと、前記第２赤色サブ画素の画像データ、前記第２緑色サブ画素の画像データ、及び前記第２青色サブ画素の画像データに基づいて、第１白色サブ画素の画像データを生成するステップＣと、前記第２赤色サブ画素の画像データ、前記第２緑色サブ画素の画像データ、前記第２青色サブ画素の画像データ、及び前記第１白色サブ画素の画像データに基づいて、第３赤色サブ画素の画像データ、第３緑色サブ画素の画像データ、第３青色サブ画素の画像データを生成するステップＤと、前記第３赤色サブ画素の画像データ、前記第３緑色サブ画素の画像データ、前記第３青色サブ画素の画像データ、前記第１白色サブ画素の画像データに逆ガンマ変換処理を行うことにより、第４赤色サブ画素の画像データ、第４緑色サブ画素の画像データ、第４青色サブ画素の画像データ、第２白色サブ画素の画像データを取得するステップＥと、を含む画像データ処理方法。
【００１２】
前記画像データ処理方法において、前記ステップＣは、前記第２赤色サブ画素の画像データ、前記第２緑色サブ画素の画像データ、及び前記第２青色サブ画素の画像データに色空間変換を行うことにより、前記色空間に関連する角度データ、彩度データ、及び明度データを取得するステップｃ１と、前記彩度データ及び前記明度データに基づいて、前記第１白色サブ画素の画像データを計算するステップｃ２とを含む。
【００１３】
前記画像データ処理方法において、前記色空間に対応する色空間モデルはマンセル色相彩度明度モデルである。
【００１４】
前記画像データ処理方法において、前記ステップｃ２は、前記明度、及び前記彩度を分析して分析結果を取得し、当該分析結果に基づいて、前記第１白色サブ画素の画像データを計算するステップｃ２１を含み、前記彩度に対応する値＝１−３／［（Ｒｉ＋Ｇｉ＋Ｂｉ）＊ｍｉｎ（Ｒｉ，Ｇｉ，Ｂｉ）］であり、前記ｍｉｎ（Ｒｉ，Ｇｉ，Ｂｉ）は、前記Ｒｉ、前記Ｇｉ、前記Ｂｉのうちの最小値であり、前記第１白色サブ画素の画像データに対応する値＝前記明度データに対応する値＊（１−前記彩度データに対応する値）であり、前記第２赤色サブ画素の画像データ、前記第２緑色サブ画素の画像データ、前記第２青色サブ画素の画像データに対応する値は、それぞれ前記Ｒｉ、前記Ｇｉ、前記Ｂｉである。
【００１５】
前記画像データ処理方法において、前記ステップＤは、前記彩度データに基づいてゲイン値を計算するステップｄ１と、前記第２赤色サブ画素の画像データ、前記第２緑色サブ画素の画像データ、前記第２青色サブ画素の画像データ、前記第１白色サブ画素の画像データ、及び前記ゲイン値に基づいて、第３赤色サブ画素の画像データ、第３緑色サブ画素の画像データ、第３青色サブ画素の画像データを計算するステップｄ２と、を含む。
【００１６】
前記画像データ処理方法において、前記ステップｄ１は、下記の数式により前記ゲイン値を計算するステップｄ１１を含み、前記ゲイン値＝２−前記彩度データに対応する値となり、前記明度データに対応する値の最大値は、所定明度閾値以下であり、（前記第３赤色サブ画素の画像データに対応する値＋前記第１白色サブ画素の画像データに対応する値）：（前記第３緑色サブ画素の画像データに対応する値＋前記第１白色サブ画素の画像データに対応する値）：（前記第３青色サブ画素の画像データに対応する値＋前記第１白色サブ画素の画像データに対応する値）＝前記第２赤色サブ画素の画像データに対応する値：前記第２緑色サブ画素の画像データに対応する値：前記第２青色サブ画素の画像データに対応する値である。
【００１７】
前記画像データ処理方法において、前記ステップｄ１は、下記の数式により前記ゲイン値を計算するステップｄ１２を含み、前記ゲイン値＝ｆ（１−Ｓ）となり、前記明度データに対応する値の最大値は、所定明度閾値より大きく、前記ｆ（１−Ｓ）は、（１−Ｓ）を変数とする関数であり、前記ｆ（１−Ｓ）は、Ｒｏ、Ｇｏ、Ｂｏのオーバーフローを防止し、且つ滑らかに増加し、前記第３赤色サブ画素の画像データ、前記第３緑色サブ画素の画像データ、前記第３青色サブ画素の画像データに対応する値は、それぞれ前記Ｒｏ、前記Ｇｏ、前記Ｂｏである。
【００１８】
前記画像データ処理方法において、前記ステップｄ２は、下記の数式により前記第３赤色サブ画素の画像データ、前記第３緑色サブ画素の画像データ、及び前記第３青色サブ画素の画像データを計算するステップｄ２１を含み、即ち、前記第３赤色サブ画素の画像データに対応する値＝前記第２赤色サブ画素の画像データに対応する値＊前記ゲイン値−前記第１白色サブ画素の画像データに対応する値となり、前記第３緑色サブ画素の画像データに対応する値＝前記第２緑色サブ画素の画像データに対応する値＊前記ゲイン値−前記第１白色サブ画素の画像データに対応する値となり、及び、前記第３青色サブ画素の画像データに対応する値＝前記第２青色サブ画素の画像データに対応する値＊前記ゲイン値−前記第１白色サブ画素の画像データに対応する値となる。
【００１９】
第１赤色サブ画素の画像データ、第１緑色サブ画素の画像データ及び第１青色サブ画素の画像データを受信する受信モジュールと、前記第１赤色サブ画素の画像データ、前記第１緑色サブ画素の画像データ、前記第１青色サブ画素の画像データにガンマ補正処理を行うことにより、第２赤色サブ画素の画像データ、第２緑色サブ画素の画像データ、第２青色サブ画素の画像データを取得するガンマ補正処理モジュールと、前記第２赤色サブ画素の画像データ、前記第２緑色サブ画素の画像データ、及び前記第２青色サブ画素の画像データに基づいて、第１白色サブ画素の画像データを生成する第１画像データ生成モジュールと、前記第２赤色サブ画素の画像データ、前記第２緑色サブ画素の画像データ、前記第２青色サブ画素の画像データ、及び前記第１白色サブ画素の画像データに基づいて、第３赤色サブ画素の画像データ、第３緑色サブ画素の画像データ、第３青色サブ画素の画像データを生成する第２画像データ生成モジュールと、前記第３赤色サブ画素の画像データ、前記第３緑色サブ画素の画像データ、前記第３青色サブ画素の画像データ、前記第１白色サブ画素の画像データに逆ガンマ変換処理を行うことにより、第４赤色サブ画素の画像データ、第４緑色サブ画素の画像データ、第４青色サブ画素の画像データ、第２白色サブ画素の画像データを取得する逆ガンマ変換処理モジュールと、を含む画像データ処理装置。
【００２０】
前記画像データ処理装置において、前記第１画像データ生成モジュールは、前記第２赤色サブ画素の画像データ、前記第２緑色サブ画素の画像データ、及び前記第２青色サブ画素の画像データに色空間変換を行うことにより、前記色空間に関連する角度データ、彩度データ、及び明度データを取得する色空間変換モジュールと、前記彩度データ、及び前記明度データに基づいて、前記第１白色サブ画素の画像データを計算する第１計算モジュールと、を含む。
【００２１】
前記画像データ処理装置において、前記色空間に対応する色空間モデルはマンセル色相彩度明度モデルである。
【００２２】
前記画像データ処理装置において、前記第１計算モジュールは、前記明度、及び前記彩度を分析して分析結果を取得し、当該分析結果に基づいて、前記第１白色サブ画素の画像データを計算し、前記彩度に対応する値＝１−３／［（Ｒｉ＋Ｇｉ＋Ｂｉ）＊ｍｉｎ（Ｒｉ，Ｇｉ，Ｂｉ）］であり、前記ｍｉｎ（Ｒｉ，Ｇｉ，Ｂｉ）は、前記Ｒｉ、前記Ｇｉ、前記Ｂｉのうちの最小値であり、前記第１白色サブ画素の画像データに対応する値＝前記明度データに対応する値＊（１−前記彩度データに対応する値）、前記第２赤色サブ画素の画像データ、前記第２緑色サブ画素の画像データ、前記第２青色サブ画素の画像データに対応する値は、それぞれ前記Ｒｉ、前記Ｇｉ、前記Ｂｉである。
【００２３】
前記画像データ処理装置において、前記第２画像データ生成モジュールは、前記彩度データに基づいて、ゲイン値を計算し、前記第２赤色サブ画素の画像データ、前記第２緑色サブ画素の画像データ、前記第２青色サブ画素の画像データ、前記第１白色サブ画素の画像データ、及び前記ゲイン値に基づいて、第３赤色サブ画素の画像データ、第３緑色サブ画素の画像データ、第３青色サブ画素の画像データを計算する第２計算モジュールをさらに含む。
【００２４】
前記画像データ処理装置において、前記第１計算モジュールは、下記の数式により前記ゲイン値を計算することにも用いられ、即ち、前記ゲイン値＝２−前記彩度データに対応する値となり、前記明度データに対応する値の最大値は所定明度閾値以下であり、（前記第３赤色サブ画素の画像データに対応する値＋前記第１白色サブ画素の画像データに対応する値）：（前記第３緑色サブ画素の画像データに対応する値＋前記第１白色サブ画素の画像データに対応する値）：（前記第３青色サブ画素の画像データに対応する値＋前記第１白色サブ画素の画像データに対応する値）＝前記第２赤色サブ画素の画像データに対応する値：前記第２緑色サブ画素の画像データに対応する値：前記第２青色サブ画素の画像データに対応する値である。
【００２５】
前記画像データ処理装置において、前記第１計算モジュールは、下記の数式により前記ゲイン値を計算することにも用いられ、即ち、前記ゲイン値＝ｆ（１−Ｓ）となり、前記明度データに対応する値の最大値は、所定明度閾値より大きく、前記ｆ（１−Ｓ）は、（１−Ｓ）を変数とする関数であり、前記ｆ（１−Ｓ）は、Ｒｏ、Ｇｏ、Ｂｏのオーバーフローを防止し、且つ滑らかに増加し、前記第３赤色サブ画素の画像データ、前記第３緑色サブ画素の画像データ、前記第３青色サブ画素の画像データに対応する値は、それぞれ前記Ｒｏ、前記Ｇｏ、前記Ｂｏである。
【００２６】
前記画像データ処理装置において、前記第２計算モジュールは、下記の数式により前記第３赤色サブ画素の画像データ、前記第３緑色サブ画素の画像データ、及び前記第３青色サブ画素の画像データを計算することにも用いられ、即ち、前記第３赤色サブ画素の画像データに対応する値＝前記第２赤色サブ画素の画像データに対応する値＊前記ゲイン値−前記第１白色サブ画素の画像データに対応する値となり、前記第３緑色サブ画素の画像データに対応する値＝前記第２緑色サブ画素の画像データに対応する値＊前記ゲイン値−前記第１白色サブ画素の画像データに対応する値となり、及び、前記第３青色サブ画素の画像データに対応する値＝前記第２青色サブ画素の画像データに対応する値＊前記ゲイン値−前記第１白色サブ画素の画像データに対応する値となる。
【発明の効果】
【００２７】
本発明によれば、従来技術に比べて、ＲＧＢ画像データをＲＧＢＷ画像データに変換することを達成し、表示パネルの表示明度の向上に有利であり、表示パネルが同等明度の画像を表示する場合により節電し、又は、同等の電力量を消費する場合により高い明度を取得することができる。
【図面の簡単な説明】
【００２８】
【図１】本発明の画像データ処理装置の第１実施例のブロック図である。
【図２】本発明の画像データ処理装置の第２実施例における第１画像データ生成モジュールのブロック図である。
【図３】本発明の色空間モデルの模式図である。
【図４】本発明の色相角座標の模式図である。
【図５】本発明の画像データ処理方法の第１実施例のフロー図である。
【発明を実施するための形態】
【００２９】
本明細書に用いられる表現である「実施例」とは、例、実例又は例証をいう。また、特に指定がない限り、本明細書と特許請求の範囲に用いられる冠詞「一」は、「１つ又は複数」を意味する。
【００３０】
図１は、本発明の画像データ処理装置の第１実施例のブロック図である。本実施例の画像データ処理装置は表示パネルに適用され、前記表示パネルは、ＴＦＴ−ＬＣＤ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ、薄膜トランジスタ液晶表示パネル）、ＯＬＥＤ（Ｏｒｇａｎｉｃ  Ｌｉｇｈｔ  Ｅｍｉｔｔｉｎｇ  Ｄｉｏｄｅ、有機発光ダイオード表示パネル）等が可能である。
【００３１】
本実施例の画像データ処理装置の第１実施例は、受信モジュール１０１、ガンマ（Ｇａｍｍａ）補正処理モジュール１０２、第１画像データ生成モジュール１０３、第２画像データ生成モジュール１０４、及び逆ガンマ変換処理モジュール１０５を含む。
【００３２】
前記受信モジュール１０１は、第１赤色サブ画素の画像データ、第１緑色サブ画素の画像データ及び第１青色サブ画素の画像データを受信する。前記第１赤色サブ画素の画像データ、前記第１緑色サブ画素の画像データ、前記第１青色サブ画素の画像データに対応する値（グレースケール値）は、それぞれＲ１、Ｇ１、Ｂ１と記される。
【００３３】
前記ガンマ補正処理モジュール１０２は、前記第１赤色サブ画素の画像データ、前記第１緑色サブ画素の画像データ、前記第１青色サブ画素の画像データにガンマ補正処理／正規化処理を行うことにより、第２赤色サブ画素の画像データ、第２緑色サブ画素の画像データ、第２青色サブ画素の画像データを取得する。前記第２赤色サブ画素の画像データ、前記第２緑色サブ画素の画像データ、前記第２青色サブ画素の画像データに対応する値（グレースケール値）は、それぞれＲｉ、Ｇｉ、Ｂｉと記される。
【００３４】
前記第１画像データ生成モジュール１０３は、前記第２赤色サブ画素の画像データ、前記第２緑色サブ画素の画像データ、及び前記第２青色サブ画素の画像データに基づいて、第１白色サブ画素の画像データを生成する。前記第１白色サブ画素の画像データに対応する値（グレースケール値）はＷｏと記される。
【００３５】
前記第２画像データ生成モジュール１０４は、前記第２赤色サブ画素の画像データ、前記第２緑色サブ画素の画像データ、前記第２青色サブ画素の画像データ、及び前記第１白色サブ画素の画像データに基づいて、第３赤色サブ画素の画像データ、第３緑色サブ画素の画像データ、第３青色サブ画素の画像データを生成する。前記第３赤色サブ画素の画像データ、前記第３緑色サブ画素の画像データ、前記第３青色サブ画素の画像データに対応する値（グレースケール値）は、それぞれＲｏ、Ｇｏ、Ｂｏと記される。
【００３６】
前記逆ガンマ変換処理モジュール１０５は、前記第３赤色サブ画素の画像データ、前記第３緑色サブ画素の画像データ、前記第３青色サブ画素の画像データ、前記第１白色サブ画素の画像データに逆ガンマ変換処理を行うことにより、第４赤色サブ画素の画像データ、第４緑色サブ画素の画像データ、第４青色サブ画素の画像データ、第２白色サブ画素の画像データを取得する。前記第４赤色サブ画素の画像データ、前記第４緑色サブ画素の画像データ、前記第４青色サブ画素の画像データ、前記第２白色サブ画素の画像データは、処理されたデータのＲ、Ｇ、Ｂ、Ｗの値（グレースケール値）に対応する。
【００３７】
上記の技術手段は、ＲＧＢ画像データをＲＧＢＷ画像データに変換することを達成し、ＲＧＢＷ画像データにＷ（白色）成分が存在するため、表示パネルの表示明度の向上に有利であり、表示パネルが同等明度の画像を表示する場合により節電し、又は、同等の電力量を消費する場合により高い明度を取得することができる。
【００３８】
本発明の画像データ処理装置の第２実施例は、以下の点以外、第１実施例と同一である。
【００３９】
前記第１画像データ生成モジュール１０３は、図２に示すように、色空間変換モジュール２０１、及び第１計算モジュール２０２を含む。
【００４０】
前記色空間変換モジュール２０１は、前記第２赤色サブ画素の画像データ、前記第２緑色サブ画素の画像データ、及び前記第２青色サブ画素の画像データに色空間変換を行うことにより、角度データ、彩度データ、及び明度データを取得する。ここで、前記角度データ、前記彩度データ、及び前記明度データは、前記色空間に関連する。前記色空間に対応する色空間モデル（マンセルＨ（Ｈｕｅ、色相）Ｓ（Ｓａｔｕｒａｔｉｏｎ、彩度）Ｉ（Ｉｎｔｅｎｓｉｔｙ、明度／強度）モデル）は図３に示されたものであり、それに応じて、前記色空間に対応する色相角座標は図４に示されたものである。
【００４１】
前記第１計算モジュール２０２は、前記彩度データ、及び前記明度データに基づいて、前記第１白色サブ画素の画像データを計算する。具体的には、前記第１計算モジュール２０２は、前記明度（強度）、及び前記彩度を分析して分析結果を取得し、当該分析結果に基づいて、前記第１白色サブ画素の画像データを計算する。
【００４２】
ここで、前記彩度データに対応する値＝１−３／［（Ｒｉ＋Ｇｉ＋Ｂｉ）＊ｍｉｎ（Ｒｉ，Ｇｉ，Ｂｉ）］であり、前記ｍｉｎ（Ｒｉ，Ｇｉ，Ｂｉ）は、前記Ｒｉ、前記Ｇｉ、前記Ｂｉのうちの最小値である。
前記第１白色サブ画素の画像データに対応する値＝前記明度データに対応する値＊（１−前記彩度データに対応する値）である。
【００４３】
前記第２画像データ生成モジュール１０４は、第２計算モジュールを含む。
【００４４】
前記第２計算モジュールは、前記彩度データに基づいて、ゲイン値を計算し、前記第２赤色サブ画素の画像データ、前記第２緑色サブ画素の画像データ、前記第２青色サブ画素の画像データ、前記第１白色サブ画素の画像データ、及び前記ゲイン値に基づいて、第３赤色サブ画素の画像データ、第３緑色サブ画素の画像データ、第３青色サブ画素の画像データを計算する。
【００４５】
変換された前記ＲＧＢＷ画像データの色相が元のＲＧＢ画像データの色相と同じ、つまり、（前記第３赤色サブ画素の画像データに対応する値＋前記第１白色サブ画素の画像データに対応する値）：（前記第３緑色サブ画素の画像データに対応する値＋前記第１白色サブ画素の画像データに対応する値）：（前記第３青色サブ画素の画像データに対応する値＋前記第１白色サブ画素の画像データに対応する値）＝前記第２赤色サブ画素の画像データに対応する値：前記第２緑色サブ画素の画像データに対応する値：前記第２青色サブ画素の画像データに対応する値、即ち、（Ｒｏ＋Ｗｏ）：（Ｇｏ＋Ｗｏ）：（Ｂｏ＋Ｗｏ）＝Ｒｉ：Ｇｉ：Ｂｉである前提下で、前記第１計算モジュール２０２は、下記の数式により前記ゲイン値を計算することにも用いられる。即ち、
前記ゲイン値＝２−前記彩度データに対応する値であり、ここで、前記明度データに対応する値の最大値は、所定明度閾値以下である。
【００４６】
前記ゲイン値＝ｆ（１−Ｓ）であり、ここで、前記明度データに対応する値の最大値は、所定明度閾値より大きい。
【００４７】
前記ｆ（１−Ｓ）は（１−Ｓ）を変数とする関数であり、前記ｆ（１−Ｓ）は、前記ゲインに抑制及び平滑化処理を行うことにより、Ｒｏ、Ｇｏ、Ｂｏのオーバーフローを防止し、且つ滑らかに増加し、即ち、（Ｒｏ＋Ｗｏ）：（Ｇｏ＋Ｗｏ）：（Ｂｏ＋Ｗｏ）＝Ｒｉ：Ｇｉ：Ｂｉの比が破壊されることを防止する。
【００４８】
前記第２計算モジュールは、下記の数式により前記第３赤色サブ画素の画像データ、前記第３緑色サブ画素の画像データ、及び前記第３青色サブ画素の画像データを計算することにも用いられる。即ち、
前記第３赤色サブ画素の画像データに対応する値＝前記第２赤色サブ画素の画像データに対応する値＊前記ゲイン値−前記第１白色サブ画素の画像データに対応する値となる。
【００４９】
前記第３緑色サブ画素の画像データに対応する値＝前記第２緑色サブ画素の画像データに対応する値＊前記ゲイン値−前記第１白色サブ画素の画像データに対応する値となる。
【００５０】
前記第３青色サブ画素の画像データに対応する値＝前記第２青色サブ画素の画像データに対応する値＊前記ゲイン値−前記第１白色サブ画素の画像データに対応する値となる。
【００５１】
上記の技術手段により、出力されるＲＧＢＷにおける各成分を滑らかに保持することができる。
【００５２】
図５は、本発明の画像データ処理方法の第１実施例のフロー図である。本実施例の画像データ処理方法は、上記の画像データ処理装置に適用される。
本実施例の画像データ処理方法は、以下のステップを含む。
Ａ（ステップ５０１）：前記受信モジュール１０１は、第１赤色サブ画素の画像データ、第１緑色サブ画素の画像データ及び第１青色サブ画素の画像データを受信する。
Ｂ（ステップ５０２）：前記ガンマ補正処理モジュール１０２は、前記第１赤色サブ画素の画像データ、前記第１緑色サブ画素の画像データ、前記第１青色サブ画素の画像データにガンマ補正処理／正規化処理を行うことにより、第２赤色サブ画素の画像データ、第２緑色サブ画素の画像データ、第２青色サブ画素の画像データを取得する。
Ｃ（ステップ５０３）：前記第１画像データ生成モジュール１０３は、前記第２赤色サブ画素の画像データ、前記第２緑色サブ画素の画像データ、及び前記第２青色サブ画素の画像データに基づいて、第１白色サブ画素の画像データを生成する。
【００５３】
Ｄ（ステップ５０４）：前記第２画像データ生成モジュール１０４は、前記第２赤色サブ画素の画像データ、前記第２緑色サブ画素の画像データ、前記第２青色サブ画素の画像データ、及び前記第１白色サブ画素の画像データに基づいて、第３赤色サブ画素の画像データ、第３緑色サブ画素の画像データ、第３青色サブ画素の画像データを生成する。
【００５４】
Ｅ（ステップ５０５）：前記逆ガンマ変換処理モジュール１０５は、前記第３赤色サブ画素の画像データ、前記第３緑色サブ画素の画像データ、前記第３青色サブ画素の画像データ、前記第１白色サブ画素の画像データに逆ガンマ変換処理を行うことにより、第４赤色サブ画素の画像データ、第４緑色サブ画素の画像データ、第４青色サブ画素の画像データ、第２白色サブ画素の画像データを取得する。
【００５５】
上記の技術手段は、ＲＧＢ画像データをＲＧＢＷ画像データに変換することを達成し、ＲＧＢＷ画像データにＷ（白色）成分が存在するため、表示パネルの表示明度の向上に有利であり、表示パネルが同等明度の画像を表示する場合により節電し、又は、同等の電力量を消費する場合により高い明度を取得することができる。
【００５６】
本発明の画像データ処理方法の第２実施例は、以下の点以外、第１実施例と同一である。
前記ステップＣ（前記ステップ５０３）は、以下のステップを含む。
ステップｃ１：前記第１画像データ生成モジュール１０３の色空間変換モジュール２０１は、前記第２赤色サブ画素の画像データ、前記第２緑色サブ画素の画像データ、及び前記第２青色サブ画素の画像データに色空間変換を行うことにより、角度データ、彩度データ、及び明度データを取得する。ここで、前記角度データ、前記彩度データ、及び前記明度データは、前記色空間に関連する。前記色空間に対応する色空間モデル（マンセルＨ（Ｈｕｅ、色相）Ｓ（Ｓａｔｕｒａｔｉｏｎ、彩度）Ｉ（Ｉｎｔｅｎｓｉｔｙ、明度／強度）モデル）は図３に示されたものであり、それに応じて、前記色空間に対応する色相角座標は図４に示されたものである。
【００５７】
ステップｃ２：前記第１画像データ生成モジュール１０３の第１計算モジュール２０２は、前記彩度データ、及び前記明度データに基づいて、前記第１白色サブ画素の画像データを計算する。具体的には、前記第１計算モジュール２０２は、前記明度（強度）、及び前記彩度を分析して分析結果を取得し、当該分析結果に基づいて、前記第１白色サブ画素の画像データを計算する。
【００５８】
ここで、前記彩度データに対応する値＝１−３／［（Ｒｉ＋Ｇｉ＋Ｂｉ）＊ｍｉｎ（Ｒｉ，Ｇｉ，Ｂｉ）］であり、前記ｍｉｎ（Ｒｉ，Ｇｉ，Ｂｉ）は、前記Ｒｉ、前記Ｇｉ、前記Ｂｉのうちの最小値である。
前記第１白色サブ画素の画像データに対応する値＝前記明度データに対応する値＊（１−前記彩度データに対応する値）となる。
前記ステップＤ（前記ステップ５０４）は、以下のステップを含む。
ステップｄ１：前記第２画像データ生成モジュール１０４の第２計算モジュールは、前記彩度データに基づいて、ゲイン値を計算する。
ステップｄ２：前記第２計算モジュールは、前記第２赤色サブ画素の画像データ、前記第２緑色サブ画素の画像データ、前記第２青色サブ画素の画像データ、前記第１白色サブ画素の画像データ、及び前記ゲイン値に基づいて、第３赤色サブ画素の画像データ、第３緑色サブ画素の画像データ、第３青色サブ画素の画像データを計算する。
【００５９】
前記ステップｄ１は、以下のステップを含む。
ステップｄ１１：変換された前記ＲＧＢＷ画像データの色相が元のＲＧＢ画像データの色相と同じ、つまり、（前記第３赤色サブ画素の画像データに対応する値＋前記第１白色サブ画素の画像データに対応する値）：（前記第３緑色サブ画素の画像データに対応する値＋前記第１白色サブ画素の画像データに対応する値）：（前記第３青色サブ画素の画像データに対応する値＋前記第１白色サブ画素の画像データに対応する値）＝前記第２赤色サブ画素の画像データに対応する値：前記第２緑色サブ画素の画像データに対応する値：前記第２青色サブ画素の画像データに対応する値、即ち、（Ｒｏ＋Ｗｏ）：（Ｇｏ＋Ｗｏ）：（Ｂｏ＋Ｗｏ）＝Ｒｉ：Ｇｉ：Ｂｉである前提下で、前記第１計算モジュール２０２は、下記の数式により前記ゲイン値を計算する。すなわち、
前記ゲイン値＝２−前記彩度データに対応する値であり、ここで、前記明度データに対応する値の最大値は、所定明度閾値以下である。
【００６０】
前記ゲイン値＝ｆ（１−Ｓ）であり、ここで、前記明度データに対応する値の最大値は、所定明度閾値より大きい。
【００６１】
前記ｆ（１−Ｓ）は（１−Ｓ）を変数とする関数であり、前記ｆ（１−Ｓ）は、前記ゲインに抑制及び平滑化処理を行うことにより、Ｒｏ、Ｇｏ、Ｂｏのオーバーフローを防止し、且つ滑らかに増加し、即ち、（Ｒｏ＋Ｗｏ）：（Ｇｏ＋Ｗｏ）：（Ｂｏ＋Ｗｏ）＝Ｒｉ：Ｇｉ：Ｂｉの比が破壊されることを防止する。
【００６２】
前記ステップｄ２は、以下のステップを含む。
ステップｄ２１：前記第２計算モジュールは、下記の数式により前記第３赤色サブ画素の画像データ、前記第３緑色サブ画素の画像データ、及び前記第３青色サブ画素の画像データを計算する。即ち、
【００６３】
前記第３赤色サブ画素の画像データに対応する値＝前記第２赤色サブ画素の画像データに対応する値＊前記ゲイン値−前記第１白色サブ画素の画像データに対応する値となる。
【００６４】
前記第３緑色サブ画素の画像データに対応する値＝前記第２緑色サブ画素の画像データに対応する値＊前記ゲイン値−前記第１白色サブ画素の画像データに対応する値となる。
【００６５】
前記第３青色サブ画素の画像データに対応する値＝前記第２青色サブ画素の画像データに対応する値＊前記ゲイン値−前記第１白色サブ画素の画像データに対応する値となる。
【００６６】
上記の技術手段により、出力されるＲＧＢＷにおける各成分を滑らかに保持することができる。
【００６７】
１つ又は複数の実現方式にて本発明を説明したが、当業者であれば、本明細書と図面に対する理解に基づいて、同等の変形および修正を想到することができる。本発明は、このようなすべての変形及び修正を含み、且つ特許請求の範囲のみにより制限される。特に、前記部品で実行される様々な機能について、構造上、本明細書に例示される実施態様における機能を実行する構造と同等ではなくても、それらの部品を述べるための表現は、前記部品の特定機能（例えば、機能上同等のもの）を実行する任意な部品（特に断りのない限り）に対応する。さらに、本明細書の特定な特徴は幾つかの実施態様の１つにより開示されたが、このような特徴を他の実施態様の１つ又は複数の他の特徴と組み合わせてもよい。また、「含む」、「有する」や「含有」という表現又はその変形が具体的な実施態様用又は請求項に用いられる場合に、このような表現は、それらの表現に類似する含有を含む。
【００６８】
上記より、本発明は好ましい実施例により開示されたが、上記の好ましい実施例は本発明を限定するものでなく、本発明の趣旨及び範囲を逸脱しない限り、当業者であれば、様々な変更及び修飾を加えることができるため、本発明の保護範囲は、特許請求の範囲に基づくものである。
【図１】
0006440338.tif 000002
【図２】
0006440338.tif 000003
【図３】
0006440338.tif 000004
【図４】
0006440338.tif 000005
【図５】
0006440338.tif 000006